(57)【要約】【課題】表示装置に関し、ＧＮＤ配線に起因する低周波電波の放出を防止するとともに、ＥＭＩノイズ成分を低減する。【解決手段】複数の行駆動半導体集積回路素子と複数の列駆動半導体集積回路素子の内の少なくとも一方が実装基板１に搭載されているとともに、実装基板１に設けた接地配線を、電気的に複数のグループに分割した接地配線ブロック２で構成する。【選択図】          図１
2004279790.tif 000002
【特許請求の範囲】
【請求項１】
駆動用電極を設けた一対の基板と、前記一対の基板の間に介在する表示部と、前記一対の基板の一方の電気的に接続されている複数の行駆動半導体集積回路素子及び複数の列駆動半導体集積回路素子とからなる表示装置において、前記複数の行駆動半導体集積回路素子と複数の列駆動半導体集積回路素子の内の少なくとも一方が実装基板に搭載されているとともに、前記実装基板に設けた接地配線が、電気的に複数のグループに分割した接地配線ブロックで構成されることを特徴とする表示装置。
【請求項２】
上記複数のグループに分割された接地配線ブロックは、上記実装基板上に実装された電子部品或いは抵抗成分を持った配線のいずれかにより電気的に接続されていることを特徴とする請求項１記載の表示装置。
【請求項３】
駆動用電極を設けた一対の基板と、前記一対の基板の間に介在する表示部と、前記一対の基板の一方の電気的に接続されている複数の行駆動半導体集積回路素子及び複数の列駆動半導体集積回路素子とからなる表示装置において、前記複数の行駆動半導体集積回路素子と複数の列駆動半導体集積回路素子の内の少なくとも一方が実装基板に搭載されているとともに、前記実装基板に設けた接地配線が、基板内接地配線と外部の接地線と接続する接続用接地配線とに分割して構成されることを特徴とする表示装置。
【請求項４】
上記基板内接地配線と接続用接地配線とが、上記実装基板上に実装された電子部品或いは抵抗成分を持った配線のいずれかにより電気的に接続されていることを特徴とする請求項３記載の表示装置。
【請求項５】
駆動用電極を設けた一対の基板と、前記一対の基板の間に介在する表示部と、前記一対の基板の一方の電気的に接続されている複数の行駆動半導体集積回路素子及び複数の列駆動半導体集積回路素子とからなる表示装置において、前記行駆動半導体集積回路素子及び列駆動半導体集積回路素子を電気的に接続した一方の基板上に、電気的に複数のグループに分割した接地配線ブロックからなる接地配線を設けるとともに、前記接地配線ブロックを抵抗成分を持った配線で接続することを特徴とする表示装置。
【発明の詳細な説明】
【０００１】
【発明の属する技術分野】
本発明は表示装置に関するものであり、特に、液晶表示パネルを駆動するドライバＩＣを搭載したプリント配線基板に設けるＧＮＤラインに依存するノイズを低減するためのＧＮＤパターンの構成に特徴のある表示装置に関するものである。
【０００２】
【従来の技術】
近年、パソコン・モニタ等の表示デバイスにおいては、省スペース化に加えて表示容量及び表示サイズの大型化が望まれている。
【０００３】
この様な典型的な表示デバイスである液晶表示装置はＴＦＴ基板とコモン基板を対向して張り合わせ、その間に液晶を挟み持つ構造となっており、液晶はＴＦＴ基板電極とコモン基板電極の電圧差に応じた光の透過量が決まっていて電圧の差で階調を持たせている。
【０００４】
この電圧差を加えて、液晶表示装置の画素に電圧を保持させるために、ＴＦＴ基板にはソース側ドライバＩＣとゲート側ドライバＩＣが電気的に接続されている。
【０００５】
この様なソース側ドライバとゲート側ドライバを液晶表示パネルの額縁において電気的に接続する必要があり、これらドライバＩＣには制御信号を入力するプリント基板やフレキシブル基板等の手段が必要である（例えば、特許文献１参照）ので、ここで、図７及び図８を参照して従来の液晶表示装置を説明する。
【０００６】
図７参照
図７は、従来の一般的液晶表示装置の概念的構成図であり、液晶表示パネル５１、ゲートドライバ群５２、ソースドライバ群５３、コントローラ５４、及び、液晶駆動電源回路５５から構成される。
【０００７】
ゲートドライバ群５２は、液晶表示パネル５１のゲートバスラインを駆動する多出力数のＬＳＩチップであるｍ個のゲートドライバＧ１  ，Ｇ２  ・・・・Ｇｍ  からなり、各ゲートドライバは、テープキャリア（ＴＡＢ）を介してゲートバスライン等と接続されるとともに、プリント基板に搭載されている。
【０００８】
一方、ソースドライバ群５３は、液晶表示パネル５１のソースバスラインを駆動する多出力数のＬＳＩチップであるｎ個のソースドライバＳ１  ，Ｓ２  ・・・・Ｓｎ  からなり、各ソースドライバもテープキャリア（ＴＡＢ）を介してソースバスライン等と接続されるとともに、プリント基板に搭載されている。
コントローラ５４及び液晶駆動電源回路５５からの駆動信号はこのプリント基板を介してゲートドライバ群５２及びソースドライバ群５３に入力される。
【０００９】
図８参照
図８は、上述のプリント基板に設けたＧＮＤ配線の一例を示す平面図であり、各プリント基板６１，６２においては、長いベタ状のＧＮＤ配線６４，６５が設けられており、コントローラ５４を構成するプリント基板６３に設けられたＧＮＤ配線６６とはＦＰＣ（Ｆｌｅｘｉｂｌｅ  Ｐｒｉｎｔｅｄ  Ｃｉｒｃｕｉｔ）コネクタ６７，６８を介して接続されている。
このように、プリント基板内で共通のベタ配線を持ち、ＧＮＤを強化することでノイズによる影響を防いでいる。
【００１０】
【特許文献１】
特開２０００−２３５３７６号公報
【００１１】
【発明が解決しようとする課題】
しかし、液晶表示装置の大型化により画面サイズが大きくなり、これに伴って辺長が長くなっているが、細く長いプリント基板は電気的ノイズによる電波成分の一本のアンテナとなりＥＭＩ（Ｅｌｅｃｔｒｏ  Ｍａｇｎｅｔｉｃ  Ｉｎｔｅｒｆｅｒｅｎｃｅ）を悪化させる原因となる。
【００１２】
また、そのプリント基板上にノイズ発生源がない場合にも、他のプリント基板からノイズが伝播して、アンテナとして放射することとなる。
特に、実装部品に共通のＧＮＤ配線は細長い基板の全域に広がった配線となり各実装部品からのノイズ成分が伝播しやすい構造になっておりＥＭＩに悪い影響を与えていた。
【００１３】
したがって、本発明は、ＧＮＤ配線に起因する低周波電波の放出を防止するとともに、ＥＭＩノイズ成分を低減することを目的とする。
【００１４】
【課題を解決するための手段】
図１は、本発明の原理的構成図であり、この図１を参照して本発明における課題を解決するための手段を説明する。
図１（ａ）参照
上記の課題を解決するために、本発明は、駆動用電極を設けた一対の基板と、一対の基板の間に介在する表示部と、一対の基板の一方の電気的に接続されている複数の行駆動半導体集積回路素子及び複数の列駆動半導体集積回路素子とからなる表示装置において、複数の行駆動半導体集積回路素子と複数の列駆動半導体集積回路素子の内の少なくとも一方が実装基板１に搭載されているとともに、実装基板１に設けた接地配線が、電気的に複数のグループに分割した接地配線ブロック２で構成されることを特徴とする。
【００１５】
このように、ノイズを伝播する接地配線を細かい接地配線ブロック２に分割することによって、ノイズ発生源で発生したノイズ成分が他の接地配線ブロック２に伝播することが防がれ、これによりＥＭＩレベルが低減される。
【００１６】
また、細かい接地配線ブロック２に分割することによって、長かったアンテナ長が短くなり比較的低い周波数の電波が出にくくなる。
【００１７】
この場合、複数のグループに分割された接地配線ブロック２は、上記実装基板１上に実装された電子部品３或いは抵抗成分を持った配線４のいずれかにより電気的に接続されていることが望ましく、実装基板１間の電位差をなくすことができる。
【００１８】
また、外部とＧＮＤレベルの接続に際しては、実装基板１に設ける接地配線を、基板内接地配線と外部の接地線と接続する接続用接地配線とに分割することが望ましく、それによって、実装基板１間のノイズの伝播が防止される。
【００１９】
この場合も、基板内接地配線と接続用接地配線とを、実装基板１上に実装された電子部品３或いは抵抗成分を持った配線４のいずれかにより電気的に接続することが望ましく、実装基板１間の電位差をなくすことができる。
【００２０】
また、駆動半導体集積回路素子を表示部を構成する一方の基板上に直接設けるタイプの表示装置においては、行駆動半導体集積回路素子及び列駆動半導体集積回路素子を電気的に接続した一方の基板上に電気的に複数のグループに分割した接地配線ブロック２からなる接地配線を設けるとともに、前記接地配線ブロック２を抵抗成分を持った配線４で接続することが望ましい。
【００２１】
また、本発明においては、表示素子としては、プラズマ表示装置等も対象とするものであるが、典型的にはアクティブマトリクス型液晶表示装置であり、また、アクティブ素子としてはどの様なスイッチング素子を用いても良いが、典型的には薄膜トランジスタ（ＴＦＴ）である。
【００２２】
また、電子部品３としては、フィルタ素子を内蔵しているノイズ対策電子部品であることが望ましく、それによって、接地配線ブロック２間を電子部品３で接続しても、ノイズの伝播を効果的に抑制することができる。
【００２３】
【発明の実施の形態】
ここで、図２を参照して、本発明の第１の実施の形態を液晶表示装置を説明する。
図２参照
図２は、本発明の第１の実施の形態の液晶表示装置におけるプリント基板に設けたＧＮＤ配線を示す平面図であり、液晶表示パネル１１のソースラインに接続するソースドライバを搭載したプリント基板１２におけるＧＮＤ配線は、複数のＧＮＤ配線ブロック１４に分割され、液晶表示パネル１１のゲートラインに接続するゲートドライバを搭載したプリント基板１４におけるＧＮＤ配線も、複数のＧＮＤ配線ブロック１５に分割されている。
【００２４】
また、プリント基板１２，１４は、ＦＰＣコネクタ１８，１９を介してコントローラを搭載したプリント基板１６に設けられたＧＮＤ配線１７と接続されている。
なお、これらのＧＮＤ配線ブロック１４，１５は、通常のＧＮＤ配線と同様に、Ｃｕで構成される。
【００２５】
この第１の実施の形態においては、ＧＮＤ配線が各プリント基板１２，１４内でそれぞれ複数のＧＮＤ配線ブロック１４，１５に分割されているので、アンテナ長が短くなり、そのため低周波の電波放射を防ぐことができる。
【００２６】
また、ＧＮＤ配線を複数のＧＮＤ配線ブロック１４，１５に分割することによって、ノイズ発生源からノイズの伝播を防止することがで、ＥＭＩレベルを低減することができる。
【００２７】
次いで、図３を参照して、本発明の第２の実施の形態の液晶表示装置を説明する。
図３参照
図３は、本発明の第２の実施の形態の液晶表示装置におけるプリント基板に設けたＧＮＤ配線を示す平面図であり、上記の第１の実施の形態と同様に、液晶表示パネル１１のソースラインに接続するソースドライバを搭載したプリント基板１２におけるＧＮＤ配線は、複数のＧＮＤ配線ブロック１４に分割され、液晶表示パネル１１のゲートラインに接続するゲートドライバを搭載したプリント基板１２におけるＧＮＤ配線も、複数のＧＮＤ配線ブロック１５に分割されている。
【００２８】
この第２の実施の形態においては、各ＧＮＤ配線ブロック１４，１５間は、フィルタ素子を内蔵した電子部品２０，２１によって電気的に接続する。
なお、この場合も、プリント基板１２，１３は、ＦＰＣコネクタ１８，１９を介してコントローラを搭載したプリント基板１６に設けられたＧＮＤ配線１７と接続されている。
【００２９】
このように、各ＧＮＤ配線ブロック１４，１５間は、フィルタ素子を内蔵した電子部品２０，２１によって電気的に接続することによって、ＧＮＤ配線ブロック１４，１５間のノイズ伝播を防ぎ、ブロック間の電位差をなくすことができる。
【００３０】
次いで、図４を参照して、本発明の第３の実施の形態の液晶表示装置を説明する。
図４参照
図４は、本発明の第３の実施の形態の液晶表示装置におけるプリント基板に設けたＧＮＤ配線を示す平面図であり、液晶表示パネル１１のソースラインに接続するソースドライバを搭載したプリント基板１２におけるＧＮＤ配線は、内部ＧＮＤ配線２２と外部接続用ＧＮＤ配線２３とに分割され、液晶表示パネル１１のゲートラインに接続するゲートドライバを搭載したプリント基板１３におけるＧＮＤ配線は、内部ＧＮＤ配線２４と外部接続用ＧＮＤ配線２５とに分割されている。
【００３１】
この第３の実施の形態においては、コントローラを搭載したプリント基板１６に設けられたＧＮＤ配線１７と、ＦＰＣコネクタ１８，１９を介してプリント基板１２，１３に設けられた外部接続用ＧＮＤ配線２３，２５に接続される。
【００３２】
この様に、外部接続用ＧＮＤ配線２３，２５を別個に設けることによって、細長いプリント基板１２，１３以外のプリント基板１６からのノイズ成分がアンテナとなるプリント基板１２，１３に伝播することを防止することができる。
【００３３】
次いで、図５を参照して、本発明の第４の実施の形態の液晶表示装置を説明する。
図５参照
図５は、本発明の第４の実施の形態の液晶表示装置におけるプリント基板に設けたＧＮＤ配線を示す平面図であり、上記の第３の実施の形態と同様に、液晶表示パネル１１のソースラインに接続するソースドライバを搭載したプリント基板１２におけるＧＮＤ配線は、内部ＧＮＤ配線２２と外部接続用ＧＮＤ配線２３とに分割され、液晶表示パネル１１のゲートラインに接続するゲートドライバを搭載したプリント基板１３におけるＧＮＤ配線は、内部ＧＮＤ配線２４と外部接続用ＧＮＤ配線２５とに分割されている。
【００３４】
この第４の実施の形態においては、上記の第２の実施の形態と同様に、コントローラを搭載したプリント基板１６に設けられたＧＮＤ配線１７と接続されたＦＰＣコネクタ１８，１９と、プリント基板１２，１３に設けられた外部接続用ＧＮＤ配線２３，２５とを、フィルタ素子を内蔵した電子部品２０，２１によって電気的に接続する。
【００３５】
この様に、フィルタ素子を内蔵した電子部品２０，２１を用いて、外部接続用ＧＮＤ配線２３，２５と内部ＧＮＤ配線２２，２４とを接続しているので、プリント基板１６からのノイズ成分がアンテナとなるプリント基板１２，１３に伝播するのをより効果的に防止することができるとともに、外部接続用ＧＮＤ配線２３，２５と内部ＧＮＤ配線２２，２４とを同電位にすることができる。
【００３６】
次いで、図６を参照して、本発明の第５の実施の形態の液晶表示装置を説明する。
図６参照
図６は、本発明の第５の実施の形態の液晶表示装置におけるＧＮＤ配線を示す平面図であり、この場合には、ゲートドライバ及びソースドライバを液晶表示パネルを構成するＴＦＴ基板の額縁に一体に形成したものであり、それに伴って、ＧＮＤ配線もＴＦＴ基板上にＩＴＯ或いはＡｌによって形成する。
【００３７】
この本発明の第５の実施の形態においては、ＴＦＴ基板３１上に形成するＧＮＤ配線を複数のＧＮＤ配線ブロック３２，３３に分割するとともに、各ＧＮＤ配線ブロック３２，３３間を抵抗成分を持つ細く屈曲した配線３４，３５で接続したものである。
【００３８】
この第５の実施の形態においても、ＧＮＤ配線を分割しているので、低周波の電波放射を防止することができ、また、ノイズ源で発生したノイズの伝播を防止することができる。
【００３９】
以上、本発明の各実施の形態を説明してきたが、本発明は各実施の形態に記載した構成に限られるものではなく、各種の変更が可能である。
例えば、上記第２及び第４実施の形態においては、分割したＧＮＤ配線間を電子部品で電気的に接続しているが、電子部品に限られるものではなく、フィルタ素子と同様な容量成分を有する配線によって接続しても良いものである。
【００４０】
さらには、上記の第５の実施の形態と同様に、分割したＧＮＤ配線間を抵抗成分を持った屈曲した配線で接続しても良いものである。
【００４１】
また、上記の各実施の形態においては、ゲートドライバ側のＧＮＤ配線とソースドライバ側のＧＮＤ配線の両方を分割しているが、一方のドライバ側のＧＮＤ配線のみを分割しても良いものであり、その場合には、より長い長辺側に設けるソースドライバ側のＧＮＤ配線を分割することが望ましい。
【００４２】
また、上記の第５の実施の形態においては、ゲートドライバ及びソースドライバをＴＦＴ基板上に形成しているが、ゲートドライバ及びソースドライバをＴＦＴ基板上にハイブリッド的に実装しても良いものであり、その場合にもＴＦＴ基板上に設けるＧＮＤ配線を分割して設ければ良い。
【００４３】
また、上記の各実施の形態においては、液晶表示装置におけるアクティブ素子をＴＦＴで構成しているが、ＴＦＴに限られるものではなく、ＭＩＭ等の他のアクティブ素子を用いたアクティブマトリクス型液晶表示装置にも適用されるものである。
【００４４】
また、上記の各実施の形態においては、液晶表示装置を例に説明しているが、本発明は、液晶表示装置に限られるものではなく、プラズマ表示装置或いはフィールドエミッションを用いた表示装置等の他の表示装置にも適用されるものである。
【００４５】
ここで、再び図１を参照して、本発明の詳細な特徴を説明する。
再び、図１（ａ）参照
（付記１）  駆動用電極を設けた一対の基板と、前記一対の基板の間に介在する表示部と、前記一対の基板の一方の電気的に接続されている複数の行駆動半導体集積回路素子及び複数の列駆動半導体集積回路素子とからなる表示装置において、前記複数の行駆動半導体集積回路素子と複数の列駆動半導体集積回路素子の内の少なくとも一方が実装基板１に搭載されているとともに、前記実装基板１に設けた接地配線が、電気的に複数のグループに分割した接地配線ブロック２で構成されることを特徴とする表示装置。
（付記２）  上記複数のグループに分割された接地配線ブロック２は、上記実装基板１上に実装された電子部品３或いは抵抗成分を持った配線４のいずれかにより電気的に接続されていることを特徴とする付記１記載の表示装置。
（付記３）  駆動用電極を設けた一対の基板と、前記一対の基板の間に介在する表示部と、前記一対の基板の一方の電気的に接続されている複数の行駆動半導体集積回路素子及び複数の列駆動半導体集積回路素子とからなる表示装置において、前記複数の行駆動半導体集積回路素子と複数の列駆動半導体集積回路素子の内の少なくとも一方が実装基板１に搭載されているとともに、前記実装基板１に設けた接地配線が、基板内接地配線と外部の接地線と接続する接続用接地配線とに分割して構成されることを特徴とする表示装置。
（付記４）  上記基板内接地配線と接続用接地配線とが、上記実装基板１上に実装された電子部品３或いは抵抗成分を持った配線４のいずれかにより電気的に接続されていることを特徴とする付記３記載の表示装置。
（付記５）  駆動用電極を設けた一対の基板と、前記一対の基板の間に介在する表示部と、前記一対の基板の一方の電気的に接続されている複数の行駆動半導体集積回路素子及び複数の列駆動半導体集積回路素子とからなる表示装置において、前記行駆動半導体集積回路素子及び列駆動半導体集積回路素子を電気的に接続した一方の基板上に、電気的に複数のグループに分割した接地配線ブロック２からなる接地配線を設けるとともに、前記接地配線ブロック２を抵抗成分を持った配線４で接続することを特徴とする表示装置。
（付記６）  上記一対の基板が、薄膜トランジスタ基板と共通電極を設けたコモン基板であり、上記行駆動半導体集積回路素子がゲートドライバ素子で且つ上記列駆動半導体集積回路素子がソースドライバ素子であり、上記表示部が液晶であることを特徴とする付記１乃至５のいずれか１に記載の表示装置。
（付記７）  上記電子部品３が、フィルタ素子を内蔵していることを特徴とする付記１乃至６のいずれか１に記載の表示装置。
【００４６】
【発明の効果】
本発明によれば、ＧＮＤ配線を分割しているので、ノイズを放射するアンテナ長を短くし、且つ、他のＧＮＤブロックや他のプリント基板からのノイズ伝播を防ぐことができ、特に、これらの分割ＧＮＤブロック間をフィルタ効果を有する実装部品或いは配線で接続することで分割ＧＮＤブロック間の電位差をなくし、ノイズの伝播も防ぐことができ、それによって、ＥＭＩレベルを低下することができるので、高表示品位の表示装置の実現に寄与するところが大きい。
【図面の簡単な説明】
【図１】本発明の原理的構成の説明図である。
【図２】本発明の第１の実施の形態の液晶表示装置の説明図である。
【図３】本発明の第２の実施の形態の液晶表示装置の説明図である。
【図４】本発明の第３の実施の形態の液晶表示装置の説明図である。
【図５】本発明の第４の実施の形態の液晶表示装置の説明図である。
【図６】本発明の第５の実施の形態の液晶表示装置の説明図である。
【図７】従来の一般的液晶表示装置の概念的構成図である。
【図８】プリント基板に設けたＧＮＤ配線の一例を示す平面図である。
【符号の説明】
１  実装基板
２  接地配線ブロック
３  電子部品
４  抵抗成分を持った配線
１１  液晶表示パネル
１２  プリント基板
１３  プリント基板
１４  ＧＮＤ配線ブロック
１５  ＧＮＤ配線ブロック
１６  プリント基板
１７  ＧＮＤ配線
１８  ＦＰＣコネクタ
１９  ＦＰＣコネクタ
２０  電子部品
２１  電子部品
２２  内部ＧＮＤ配線
２３  外部接続用ＧＮＤ配線
２４  内部ＧＮＤ配線
２５  外部接続用ＧＮＤ配線
３１  ＴＦＴ基板
３２  ＧＮＤ配線ブロック
３３  ＧＮＤ配線ブロック
３４  配線
３５  配線
５１  液晶表示パネル
５２  ゲートドライバ群
５３  ソースドライバ群
５４  コントローラ
５５  液晶駆動電源回路
６１  プリント基板
６２  プリント基板
６３  プリント基板
６４  ＧＮＤ配線
６５  ＧＮＤ配線
６６  ＧＮＤ配線
６７  ＦＰＣコネクタ
６８  ＦＰＣコネクタ
【図１】
2004279790.tif 000003
【図２】
2004279790.tif 000004
【図３】
2004279790.tif 000005
【図４】
2004279790.tif 000006
【図５】
2004279790.tif 000007
【図６】
2004279790.tif 000008
【図７】
2004279790.tif 000009
【図８】
2004279790.tif 000010